【手続補正書】
【提出日】平成18年1月23日(2006.1.23)
【手続補正１】
【補正対象書類名】特許請求の範囲
【補正対象項目名】全文
【補正方法】変更
【補正の内容】
【特許請求の範囲】
【請求項１】
約２０，０００〜約１１０，０００の重量平均分子量を有する架橋可能なバインダーを含んでなる平坦化層を含んでなる平坦化要素。
【請求項２】
（１）（Ａ）熱画像形成可能層を含んでなるドナー要素、および
（Ｂ）（ａ）受容体支持体と、
（ｂ）受容体支持体の表面上に設けられた受像層と
を含んでなる受容体要素
を含んでなるレーザー照射可能な組立体にレーザー線を画像通りに露光し、それによって熱画像形成可能層の露光領域を受容体要素に転写し、受像層上に着色剤含有画像を形成せしめ、
（２）ドナー要素（Ａ）を受容体要素（Ｂ）から分離し、それによって受容体要素の受像層上の着色剤含有画像を露出し、
（３）場合により、受容体要素の受像層上の着色剤含有画像を永久基板に適用し、受容体支持体を除去して受像層上の着色剤含有画像を永久基板に転写し、そして
（４）支持体と平坦化層とを含んでなる平坦化要素を受像層に適用し、支持体を除去する
ことを含んでなり、平坦化層が着色剤含有画像に近接しており、そして平坦化層が約２０，０００〜約１１０，０００の重量平均分子量を有する架橋可能なバインダーを含んでなるカラー画像の作製方法。
【請求項３】
（１）（Ａ）熱画像形成可能層を有するドナー要素と、
（Ｂ）永久基板と
を含んでなるレーザー照射可能な組立体にレーザー線を画像通りに露光し、それによって熱画像形成可能層の露光領域を永久基板に転写して、永久基板上に着色剤含有画像を形成せしめ、
（２）ドナー要素（Ａ）を永久基板（Ｂ）から分離し、それによって永久基板上の着色剤含有画像を露出させ、
（３）支持体と平坦化層とを含んでなる平坦化要素を着色剤含有画像に適用し、支持体を除去する
ことを含んでなり、平坦化層が着色剤含有画像に近接しており、そして平坦化層が約２０，０００〜約１１０，０００の重量平均分子量を有する架橋可能なバインダーを含んでなるカラー画像の作製方法。
【請求項４】
熱画像形成プロセスを用いて製造されたカラーフィルタと、約２０，０００〜約１１０，０００の重量平均分子量を有する架橋可能なバインダーを有する平坦化層を含んでなる平坦化要素とを含んでなる液晶ディスプレイ。
【手続補正２】
【補正対象書類名】明細書
【補正対象項目名】０１３７
【補正方法】変更
【補正の内容】
【０１３７】
【表６】
2005526293.tif 000001
なお、本発明の主たる特徴及び態様を要約すれば以下のとおりである。
１．  約２０，０００〜約１１０，０００の重量平均分子量を有する架橋可能なバインダーを含んでなる平坦化層を含んでなる平坦化要素。
２．  架橋可能なバインダーが約３０，０００〜約１００，０００の重量平均分子量を有する上記１に記載の平坦化要素。
３．  架橋可能なバインダーが５０，０００〜約８５，０００の重量平均分子量を有する上記１に記載の平坦化要素。
４．  架橋可能なバインダーが乳化重合または溶液重合により製造されたポリマーである上記１に記載の平坦化要素。
５．  架橋可能なバインダーが、アクリル酸およびエステル、メタクリル酸およびエステル、ならびにスチレンよりなる群から選択されるモノマーから製造されている上記４に記載の平坦化要素。
６．  塗布助剤、ＵＶ安定化剤、ＵＶ−フィルタ、ＵＶ吸収剤、小分子架橋助剤、可塑剤、フロー添加物、接着促進剤、帯電防止剤および界面活性剤をさらに含んでなる上記１に記載の平坦化要素。
７．（１）（Ａ）熱画像形成可能層を含んでなるドナー要素、および
（Ｂ）（ａ）受容体支持体と、
（ｂ）受容体支持体の表面上に設けられた受像層と
を含んでなる受容体要素を含んでなるレーザー照射可能な組立体にレーザー線を画像通りに露光し、それによって熱画像形成可能層の露光領域を受容体要素に転写し、受像層上に着色剤含有画像を形成せしめ、
（２）ドナー要素（Ａ）を受容体要素（Ｂ）から分離し、それによって受容体要素の受像層上の着色剤含有画像を露出し、
（３）場合により、受容体要素の受像層上の着色剤含有画像を永久基板に適用し、受容体支持体を除去して受像層上の着色剤含有画像を永久基板に転写し、そして
（４）支持体と平坦化層とを含んでなる平坦化要素を受像層に適用し、支持体を除去する
ことを含んでなり、平坦化層が着色剤含有画像に近接しており、そして平坦化層が約２０，０００〜約１１０，０００の重量平均分子量を有する架橋可能なバインダーを含んでなるカラー画像の作製方法。
８．  架橋可能なバインダーが約３０，０００〜約１００，０００の重量平均分子量を有する上記７に記載の方法。
９．  架橋可能なバインダーが５０，０００〜約８５，０００の重量平均分子量を有する上記８に記載の方法。
１０．  熱画像形成可能層、受像層または両方が、約１，５００〜約７０，０００の数平均分子量を有する架橋可能なバインダーを含んでなる上記７に記載の方法。
１１．  工程（３）が任意であり、受容体支持体が透明材料である上記７に記載のカラー画像の作製方法。
１２．  永久基板が透明材料である上記７に記載のカラー画像の作製方法。
１３．  透明材料がガラスである上記１１または１２に記載のカラー画像の作製方法。
１４．  透明材料が処理済ガラスである上記１１または１２に記載のカラー画像の作製方法。
１５．  透明材料が剛性ガラスである上記１１または１２に記載のカラー画像の作製方法。
１６．  剛性プラスチックがポリカーボネートである上記１５に記載のカラー画像の作製方法。
１７．  架橋可能なバインダーが乳化重合または溶液重合により製造されたポリマーである上記７に記載のカラー画像の作製方法。
１８．  架橋可能なバインダーが、アクリル酸およびエステル、メタクリル酸およびエステル、ならびにスチレンよりなる群から選択されるモノマーから製造されている上記１７に記載のカラー画像の作製方法。
１９．  適用がラミネーティングによる上記７に記載のカラー画像の作製方法。
２０．（１）（Ａ）熱画像形成可能層を有するドナー要素と、
（Ｂ）永久基板と
を含んでなるレーザー照射可能な組立体にレーザー線を画像通りに露光し、それによって熱画像形成可能層の露光領域を永久基板に転写して、永久基板上に着色剤含有画像を形成せしめ、
（２）ドナー要素（Ａ）を永久基板（Ｂ）から分離し、それによって永久基板上の着色剤含有画像を露出させ、
（３）支持体と平坦化層とを含んでなる平坦化要素を着色剤含有画像に適用し、支持体を除去する
ことを含んでなり、平坦化層が着色剤含有画像に近接しており、そして平坦化層が約２０，０００〜約１１０，０００の重量平均分子量を有する架橋可能なバインダーを含んでなるカラー画像の作製方法。
２１．  架橋可能なバインダーが約３０，０００〜約１００，０００の重量平均分子量を有する上記２０に記載の方法。
２２．  架橋可能なバインダーが５０，０００〜約８５，０００の重量平均分子量を有する上記２１に記載の平坦化要素。
２３．  永久基板が透明材料である上記２０に記載のカラー画像の作製方法。
２４．  透明材料がガラスである上記２３に記載のカラー画像の作製方法。
２５．  透明材料が処理済ガラスである上記２３に記載のカラー画像の作製方法。
２６．  透明材料が剛性ガラスである上記２３に記載のカラー画像の作製方法。
２７．  剛性プラスチックがポリカーボネートである上記２６に記載のカラー画像の作製方法。
２８．  熱画像形成プロセスを用いて製造されたカラーフィルタと、約２０，０００〜約１１０，０００の重量平均分子量を有する架橋可能なバインダーを有する平坦化層を含んでなる平坦化要素とを含んでなる液晶ディスプレイ。
２９．  架橋可能なバインダーが約３０，０００〜約１００，０００の重量平均分子量を有する上記２８に記載の液晶ディスプレイ。
３０．  架橋可能なバインダーが５０，０００〜約８５，０００の重量平均分子量を有する上記２９に記載の液晶ディスプレイ。
３１．  ガラス基板を有するカラーフィルタを含んでなる上記２８に記載の液晶ディスプレイ。
３２．  ガラス基板がその上にブラックマトリックスを有する上記３１に記載の液晶ディスプレイ。
３３．  少なくとも３つのカラー画像をその上に有するカラーフィルタを含んでなる上記３２に記載の液晶ディスプレイ。
３４．  カラー画像が赤色、青色および緑色である上記３３に記載の液晶ディスプレイ。